(57)【要約】入口（３）及び出口（４）で体現化された少なくとも部分的に円筒形の外壁（２）と、通常動作中は前記外壁（２）内部で互いの延長方向に位置する２枚の回転式ドア板（５，６）とを備えた回転式ドア（１）である。前記外壁（２）と少なくとも一方のドア板（５，６）の端部（８，９）との間にスライド式ドア（１０，１１）が設けられていて、前記端部（８，９）は、前記外壁（２）の近くをそれに沿って移動可能である。前記スライド式ドア（１０，１１）は、それぞれが独立して、前記入口（３）または出口（４）を閉じることに適しており、また前記ドア板の前記端部（８，９）は、通常動作中は、前記スライド式ドア（１０，１１）の近くで、その横方向エッジ（１２，１３）の間に、継続的に位置する。
2004505187.tif 000002
【特許請求の範囲】
【請求項１】
入口（３）及び出口（４）で体現化された少なくとも部分的に円筒形の外壁（２）と、通常動作中は前記外壁（２）内部で互いの延長方向に位置する２枚の回転式ドア板（５，６）とを備えた回転式ドア（１）であって、前記外壁（２）と少なくとも一方のドア板（５，６）の端部（８，９）との間にスライド式ドア（１０，１１）が設けられていて、前記端部（８，９）は、前記外壁（２）の近くをそれに沿って移動可能である回転式ドア（１）において、前記スライド式ドア（１０，１１）は、それぞれが独立して、前記入口（３）または出口（４）を閉じることに適しており、また前記ドア板（５，６）の前記端部（８，９）は、通常動作中は、前記スライド式ドア（１０，１１）の近くで、その横方向エッジ（１２，１３）の間に継続的に位置することを特徴とする回転式ドア。
【請求項２】
前記ドア板（５，６）および前記スライド式ドア（１０，１１）が同期して移動または停止するように、前記ドア板（５，６）の前記端部（８，９）は、前記スライド式ドア（１０，１１）の近くで、その横方向エッジ（１２，１３）の間に、継続的且つ永久的に位置することを特徴とする請求項１記載の回転式ドア。
【請求項３】
始動段階（図２Ａ−Ｄ）において前記ドア板（５，６）が回転し、且つ前記スライド式ドア（１０，１１）がそれぞれ前記入口（３）または前記出口（４）を閉じることを開始する間に、前記スライド式ドアは、前記スライド式ドア（１０，１１）に近く、その横方向エッジ（１２，１３）の間にある前記ドア板（５，６）の前記端部（８，９）よりも遅く移動し、また前記始動段階に後続して、前記スライド式ドア（１０，１１）が前記入口（３）または前記出口（４）を完全に閉じる閉鎖段階（図２Ｅ，Ｆ）では、前記ドア板（５，６）の前記端部（８，９）と前記スライド式ドア（１０，１１）の遅れた横方向エッジ（１２，１３）が一緒に閉じ（図２Ｇ）、且つ前記ドア板および前記スライド式ドアが同期して移動し続ける（図２Ｈ，Ｉ）まで、前記スライド式ドアは、前記ドア板（５，６）の前記端部（８，９）よりも速く移動するか、あるいは前記始動段階が新たに開始する（図２Ｊ）まで、前記スライド式ドアは停止し続ける、ことを特徴とする請求項１記載の回転式ドア。
【請求項４】
２枚のスライド式ドア（１０および１１）は、前記ドア板（５および６）と対にされている特徴とする先行する請求項の１項に記載の回転式ドア。
【請求項５】
前記ドア板（５および６）のそれぞれは、前記外壁（２）の内部中央から起立された回転可能な中心柱（７）に対し、折り畳み可能に結合されている特徴とする請求項１〜４の１項に記載の回転式ドア。
【発明の詳細な説明】
【０００１】
この発明は、入口及び出口で体現化された少なくとも部分的に円筒形の外壁と、通常動作中は前記外壁内部で互いの延長方向に位置する２枚の回転式ドア板とを備えた回転式ドアに関する。
【０００２】
出願人は、そのような回転式ドアを相当な期間にわたって既に販売している。その入口と出口の間には如何なる種類の障壁も存在しないので、ドア板が特別な位置にあるときに、異なる対策がとられなければ、すきま風の問題が残る。このすきま風問題を回避するために、そのような回転式ドアが実際に２つ使用されることがある。これは、第１の回転式ドアの入口から第２の回転式ドアの出口に至る妨害されていない通路への障壁を形成するために、１組のドア板が常に存在するようにするためである。２重回転式ドアを包含するそのような実施の形態は、出願人の名における欧州特許ＥＰ−Ｂ−０６６３９８１から知ることができる。
【０００３】
ＤＥ−Ｕ−９４２０５３１からは、入口及び出口で体現化された少なくとも部分的に円筒形の外壁と、通常動作中は前記外壁内部で互いの延長方向に位置する２枚の回転式ドア板とを備えた回転式ドアを知ることができる。この外壁端部は、ディスプレイケース内へ開いている。外壁と各ディスプレイケースとの間のドア板の端部に、スライド式ドアが存在する。ドア板の回転は、従来技術の回転式ドアの入口と出口の間に開放連通を作り出し、すきま風問題を生じさせる。
【０００４】
この発明の１つの目的は、そのような隔離された単一の回転式ドアのすきま風問題を消去することである。
【０００５】
このために、本発明に係る回転式ドアは、スライド式ドアが、それぞれ独立して、入口または出口を閉じることに適していることを特徴とし、またドア板の端部は、通常動作中（すくなくとも、ドア板の通過中）は、スライド式ドアの近くで、その横方向エッジの間に、継続的に位置することを特徴とする。このようにして、スライド式ドアは、ドア板が入口と出口を通過して、人が回転式ドアの入口と出口との間の行き来することを維持しながらも、入口と出口の間に閉鎖を提供することが可能になる。
【０００６】
このようにして、種々のスライド式ドアの実施形態が実行可能である。例えば、スライド式ドアは、入口または出口に近い永久休止位置に配置され、ドア板の通過中にそれが閉じられることを可能にし、また引き続いて前記休止位置に戻ることを可能にすることができる。
【０００７】
本発明に係る回転式ドアの第１の好ましい実施形態は、しかしながら、前記ドア板および前記スライド式ドアが同期して移動または停止するように、前記ドア板の前記端部は、前記スライド式ドアの近くで、その横方向エッジの間に、継続的且つ永久的に位置することを特徴とする。この回転式ドアの実施形態は、この発明の目的を完全に遂行しながらも、非常に単純に、しかも追加的な設備無しに実現できる。
【０００８】
本発明に係る回転式ドアの第２の好ましい実施形態は、始動段階において前記ドア板が回転し、且つ前記スライド式ドアがそれぞれ前記入口または前記出口を閉じることを開始する間に、前記スライド式ドアは、前記スライド式ドアに近く、その横方向エッジの間にある前記ドア板の前記端部よりも遅く移動することを特徴とし、また、前記始動段階に後続して、前記スライド式ドアが前記入口または前記出口を完全に閉じる閉鎖段階では、前記ドア板の前記端部と前記スライド式ドアの遅れた横方向エッジが一緒に閉じ、且つ前記ドア板および前記スライド式ドアが同期して移動し続けるまで、前記スライド式ドアは、前記ドア板の前記端部よりも速く移動するか、あるいは、前記始動段階が新たに開始するまで、前記スライド式ドアは停止し続ける、ことを特徴とする。この実施形態の利点は、多数の人が所定の単位時間内にこの回転式ドアを使用することが可能であるように、上記第１の実施形態よりも大きな通過容量を有する点である。技術に関心を有する人は、ドア板とスライド式ドアとの間の好奇心をあおる関心のある動作を、特に鼓舞するものであると見出すことであろう。
【０００９】
付随的に、２枚のスライド式ドアは、前記ドア板と対にされていることが、全ての実施形態にとって望ましい。
【００１０】
本発明に係る回転式ドアの全ての可能な実施形態に対して、前記ドア板のそれぞれは、前記外壁の内部中央から起立された回転可能な中心柱に対し、折り畳み可能に結合されているように、好ましくは同様に設計されていることが適用される。この対策は、ドア板を後側へ折り畳むことによって、簡単な方法で非常口を作ることを可能にする。それらが回転可能な中心柱に取り付けられた結果、それらが後側へ折り畳まれたときに、ドア板は、スライド式ドアから移動できるように、そこから離れて延びることになる。ドア板を後に折り畳む実施形態を実現するための非常に便利な手法が、出願人の名によるオランダ特許１００３３８３に記載されている。
【００１１】
以下、図面を参照して、本発明は更に明瞭にされる。図中、同じ部分は、同じ参照符号を有している。
【００１２】
先ず、図１を参照すると、そこには、本発明による回転式ドアが参照符号１によって示されている。この回転式ドアは、少なくとも部分的に円筒形の外壁（シェルウォール）２で体現化されている。この外壁には、入口３及び出口４が設けられている。このような回転式ドア１は、例えば、建物の正面に、あるいは回転式ドアを経由して連通する異なる部屋を分離するために建物の内部に設けられる。外壁２の内部に、回転式ドア１は更に、２枚の回転式ドア板（ドアリーフ）５および６を備える。これらは、通常動作中は、互いの延長方向に位置する。通常動作とは、ドア板５および６が互いの延長方向に位置する場所にあり、しかも停止したままでいるか、中央柱７を中心に回転することが可能であることを意味する。本発明によると、回転式ドア１は、外壁２と少なくとも一方のドア板５または６の端部８または９とのそれぞれの間に、スライド式ドア１０，１１がそれぞれ設けられるように体現化されている。このスライド式ドア１０，１１はそれぞれ、入口３または出口４を完全に閉じることに好適であるように寸法決めされている。ドア板５，６の端部８，９は、常にスライド式ドア１０，１１の近くにあり、しかもそれらの横方向エッジ１２，１３の間にあることが好ましい。第１の実施形態がこのようにして図１に示されている。ここでは、ドア板５，６の端部８，９は、図示のように、スライド式ドア１０，１１の近くで、それらの横方向エッジ１２，１３の間の永久的な位置に配置され、ドア板５，６とスライド式ドア１０，１１は、同期して移動するか、あるいは停止し続ける。この結果、ドア板５，６が回転しているときに、入口３と出口４の間にすきま風を伴う自由な通過が形成されるような状況は決して起こらない。このようにして、すきま風問題は効果的に解決される。
【００１３】
変形例が図２に示されている。図２Ａの開始位置から離れて、そして引き続き図２Ｂ，Ｃ．．．Ｊまで検証する。図２Ｉに後続する図２Ｊは、必要な変更を加えて、図２Ａに対応する。以下のことが観察される。スライド式ドア１０，１１がそれぞれ入口３または出口４を閉じることを開始する始動段階のドア板５，６の回転する間に、図示のように、図２Ａから図２Ｂへの遷移中に、スライド式ドアは、スライド式ドア１０，１１に近く、その横方向エッジ１２，１３の間にあるドア板５，６の端部８，９よりも遅く移動する。この状況は、後続の図２Ａ，Ｂ，Ｃ，Ｄによって明瞭に示されている。図２Ｄに示された位置はおおよそ、図２Ａ〜Ｄに示された始動段階に後続する閉鎖段階が開始する位置であり、またスライド式ドア１０，１１が入口３または出口４をそれぞれ完全に閉じる位置である。この閉鎖段階では、ドア板５，６の端部８，９とスライド式ドア１０，１１の遅れた横方向エッジ１２，１３は、図２Ｇに示すように、一緒に閉じる。図２Ｈ〜Ｊは、図２Ｊに示される始動段階が新たに開始するまで、ドア板５，６とスライド式ドア１０，１１が、図２Ｇに示す位置から同期して移動し続けるか、停止したままである点を示している。図２Ｊに示される回転式ドアの位置は、ドア板５，６とスライド式ドア１０，１１が１８０°回転している点を除いて、図２Ａの位置に対応する。
【００１４】
ここまでに説明し、図示した実施形態は、常に２枚のスライド式ドア１０，１１を示しているが、本発明の利点はまた、１枚のスライド式ドア１０または１１だけを使用しても達成される、という事実に特別な注意が払われる。このことは、更なる説明を必要とせずに、当業者には完全に明らかである。
【００１５】
最後に、図３及び４は、ドア板５，６のそれぞれが折り畳み可能に、外壁２の内部中央から起立された回転可能な中心柱７と結合されている点を示している。図３では、ドア板５，６の折り畳まれた開始段階が示されている。ここでは、中心柱７に取り付けられたドア板５，６が折り畳まれることによって、ドア板５，６の端部８，９は内側に移動し、スライド式ドア１０，１１とは接触していない。図４に示されるように、ドア板５，６が完全に折り畳まれた状況では、好適な非常口が形成されて、徒歩または車椅子の多数の人々に対し広々とした通路を与える。
【図面の簡単な説明】
【図１】本発明に係る回転式ドアの第１実施形態の模式的な上面図である。
【図２】第２実施形態に従って本発明に係る回転式ドアが如何に機能するかを各図ＡからＪで示す模式的な上面図である。
【図３および４】ドア板が移動される過程の、または非常位置へ移動されているときの本発明に係る回転式ドアを示す。
【国際公開パンフレット】
2004505187.tif 000003
2004505187.tif 000004
2004505187.tif 000005
2004505187.tif 000006
2004505187.tif 000007
2004505187.tif 000008
2004505187.tif 000009
2004505187.tif 000010
2004505187.tif 000011
2004505187.tif 000012
2004505187.tif 000013
【国際調査報告】
2004505187.tif 000014
2004505187.tif 000015
2004505187.tif 000016